(57)【特許請求の範囲】
【請求項１】
入水する水を浄化して排出する流路が形成される多数のフィルタと、
前記多数のフィルタが個別的に脱着可能に装着され、それぞれが水が出入する入水部と出水部が形成され、水が前記多数のフィルタを直列に通過する多数のヘッドと、
前記多数のヘッドが装着され、前記入水部と出水部が収容されるように凹んで形成され、前記ヘッドを回動可能に支持する回転支持部が形成されるマウンティング部材と、
前記回転支持部に装着され、隣り合う前記入水部と出水部が相互連通するように連結するコネクティングキャップと、を含み、
前記回転支持部は、前記コネクティングキャップを固定するためのキャップ固定部を含み、
前記キャップ固定部は、固定溝と、前記固定溝の入口側から対向する方向に突出する一対の固定突起を含み、
前記コネクティングキャップは、
前記入水部と出水部に連結される流路部と、
前記流路部の外側面から弾性変形可能に延長される弾性部と、前記弾性部から突出して前記キャップ固定部の固定溝に固定される固定端を含む拘束部と、
前記流路部の外側面から延長され、前記拘束部が前記キャップ固定部に固定された状態で前記ヘッドの入水部及び出水部をカバーするカバー部と、を含むことを特徴とする、浄水装置。
【請求項２】
前記回転支持部はガイドホールを更に含み、
前記コネクティングキャップは、前記ガイドホールを貫通するガイド部を更に含むことを特徴とする、請求項１に記載の浄水装置。
【請求項３】
前記ガイド部は、前記流路部を基準として前記カバー部の反対側から延長されることを特徴とする、請求項２に記載の浄水装置。
【請求項４】
前記ガイド部は、相互交差する第１リブと第２リブを含み、
前記第１リブの外側端と前記第２リブの外側端は、前記ガイドホールの内側面と接することを特徴とする、請求項２に記載の浄水装置。
【請求項５】
前記コネクティングキャップは、前記流路部と前記第２リブを連結するストッパを更に含み、
前記ストッパは、前記コネクティングキャップの挿入を制限するために、前記ガイドホールの外側面と対応する前記回転支持部の内側面と接することを特徴とする、請求項３に記載の浄水装置。
【請求項６】
前記流路部の両端には、前記流路部の直径より小さい直径を有する段差部が備えられ、
前記段差部の周りには、Ｏリングが装着されることを特徴とする、請求項１に記載の浄水装置。
【請求項７】
前記カバー部は、前記回転支持部の開口した面を遮蔽して、前記回転支持部の外側面を形成することを特徴とする、請求項１に記載の浄水装置。
【請求項８】
前記カバー部は、前記入水部と出水部をカバーする遮蔽板と、前記遮蔽板と前記流路部を連結するサポータと、を含むことを特徴とする、請求項７に記載の浄水装置。
【請求項９】
前記流路部の長さ方向への前記サポータの幅は、前記遮蔽板の幅より小さく形成されることを特徴とする、請求項８に記載の浄水装置。
【請求項１０】
前記遮蔽板は、弧形状に形成され、
前記サポータは、前記遮蔽板の両端から前記流路部の外側面に向けて垂直に延長されることを特徴とする、請求項８に記載の浄水装置。
【請求項１１】
一対の前記拘束部が、互いに対向する位置に備えられることを特徴とする、請求項１に記載の浄水装置。
【請求項１２】
貯蔵空間を形成するキャビネットと、
前記キャビネットを開閉するドアと、
前記貯蔵空間に備えられ、供給される水を浄化する浄水装置と、
前記ドアに備えられ、前記浄水装置で浄水された水を外部から取り出すディスペンサと、を含み、
前記浄水装置は、
入水する水を浄化して排出する流路が形成される多数のフィルタと、
前記多数のフィルタが個別的に脱着可能に装着され、それぞれが水が出入する入水部と出水部が形成され、水が前記多数のフィルタを直列に通過する多数のヘッドと、
前記多数のヘッドが装着され、前記入水部と出水部が収容されるように凹んで形成され、前記ヘッドを回動可能に支持する回転支持部が形成されるマウンティング部材と、
前記回転支持部に装着され、隣り合う前記入水部と出水部が相互連通するように連結するコネクティングキャップと、を含み、
前記回転支持部は、前記コネクティングキャップを固定するためのキャップ固定部を含み、
前記キャップ固定部は、固定溝と、前記固定溝の入口側から対向する方向に突出する一対の固定突起を含み、
前記コネクティングキャップは、
前記入水部と出水部に連結される流路部と、
前記流路部の外側面から弾性変形可能に延長される弾性部と、前記弾性部から突出して前記キャップ固定部の固定溝に固定される固定端とを含む拘束部と、
前記流路部の外側面から延長され、前記拘束部が前記キャップ固定部に固定された状態で前記ヘッドの入水部及び出水部をカバーするカバー部と、を含むことを特徴とする、冷蔵庫。
【請求項１３】
前記回転支持部は、ガイドホールを更に含み、
前記コネクティングキャップは、前記ガイドホールを貫通するガイド部を更に含むことを特徴とする、請求項１２に記載の冷蔵庫。
【発明の詳細な説明】
【技術分野】
【０００１】
本発明は、浄水装置及び冷蔵庫に関する。
【背景技術】
【０００２】
一般に、浄水装置は、供給される水をフィルタ及び濾過材などを利用して浄化するためのものとして、水道またはタンクの水を浄化して飲用可能な状態に浄化する装置を含む。
【０００３】
このような飲用可能な水を供給する浄水装置は、浄水器が代表的であり、最近には冷蔵庫にもこのような浄水装置の全体または一部が備えられて、冷蔵庫を介して浄水された水が供給されたり、これを利用して氷を作ることもできる。
【０００４】
浄水装置が備えられた冷蔵庫では、必要に応じて浄水装置を構成するフィルタの交換または点検が必要であり、このためにフィルタが脱着可能に構成される。そして、このような浄水装置は複数のフィルタを並列に配置することにより、より向上した浄水性能と多様な機能の浄水方式を同時に適用可能な構造を有することができる。
【０００５】
大韓民国公開特許第１０−２０１６−００２２７０９号（公開日：２０１６.０３.０２）には、このような複数のフィルタが並列に配置され、並列に配置されるフィルタ装着部の間を管形状の本体連結部で連結する構造を有する浄水器用フィルタ連結装置が開示されている。
【０００６】
しかし、従来技術による浄水器用フィルタ連結装置では、本体連結部が両側のフィルタ装着部に固定される構造で、フィルタの脱着過程中に前記フィルタ装着部に力が加わる場合、前記本体連結部が破損または分離されるなどの問題が発生し得る。
【発明の概要】
【０００７】
本発明の目的は、回動可能に装着されるヘッドがしっかりと装着状態を維持できるようにする浄水装置及び浄水装置が備えられた冷蔵庫を提供することにある。
【０００８】
また、本発明の目的は、回動可能な多数のヘッドを容易に固定装着できる浄水装置及び浄水装置が備えられた冷蔵庫を提供することにある。
【０００９】
一側面に係る浄水装置は、入水する水を浄化して排出する流路が形成される多数のフィルタと、前記多数のフィルタが個別的に脱着可能に装着され、それぞれが水が出入する入水部と出水部が形成される多数のヘッドと、前記多数のヘッドが並列に装着され、前記入水部と出水部が収容されるように凹んで形成され、前記ヘッドを回動可能に支持する回転支持部が形成されるマウンティング部材と、前記回転支持部に装着され、前記入水部と出水部が相互連通するように連結するコネクティングキャップと、を含み、前記回転支持部は、前記コネクティングキャップを固定するためのキャップ固定部を含み、前記コネクティングキャップは、前記入水部と出水部に連結される流路部と、前記流路部から弾性変形可能に延長され、前記キャップ固定部に固定される拘束部と、前記流路部から延長され、前記拘束部が前記キャップ固定部に固定された状態で前記ヘッドの入水部及び出水部をカバーするカバー部と、を含む。
【００１０】
他の側面に係る浄水装置は、入水する水を浄化して排出する流路が形成される多数のフィルタと、前記多数のフィルタが個別的に脱着可能に装着され、それぞれが水が出入する入水部と出水部が形成される多数のヘッドと、前記多数のヘッドが並列に装着され、前記入水部と出水部が収容されるように凹んで形成され、前記ヘッドを回動可能に支持する回転支持部が形成されるマウンティング部材と、前記回転支持部に装着され、前記入水部と出水部を連結するコネクティングキャップと、を含み、前記コネクティングキャップは、前記入水部と出水部に連結される流路部と、
前記流路部から延長され、前記キャップ固定部が前記回転支持部に固定された状態で前記流路部、前記ヘッドの入水部及び出水部をカバーするラウンド状の遮蔽板を備えるカバー部と、を含む。
【００１１】
さらに他の側面に係る冷蔵庫は、貯蔵空間を形成するキャビネットと、前記キャビネットを開閉するドアと、前記貯蔵空間に備えられ、供給される水を浄化する浄水装置と、前記ドアに備えられ、前記浄水装置で浄水された水を外部から取り出すディスペンサと、を含み、前記浄水装置は、入水する水を浄化して排出する流路が形成される多数のフィルタと、前記多数のフィルタが個別的に脱着可能に装着され、それぞれが水が出入する入水部と出水部が形成される多数のヘッドと、前記多数のヘッドが並列に装着され、前記入水部と出水部が収容されるように凹んで形成され、前記ヘッドを回動可能に支持する回転支持部が形成されるマウンティング部材と、前記回転支持部に装着され、前記入水部と出水部が相互連通するように連結するコネクティングキャップと、を含み、前記回転支持部は、前記コネクティングキャップを固定するためのキャップ固定部を含み、前記コネクティングキャップは、前記入水部と出水部に連結される流路部と、前記流路部から弾性変形可能に延長され、前記キャップ固定部に固定される拘束部と、前記流路部から延長され、前記拘束部が前記キャップ固定部に固定された状態で前記ヘッドの入水部と出水部をカバーするカバー部と、を含む。
【図面の簡単な説明】
【００１２】
【図１】図１は、本発明の実施例による冷蔵庫の正面図である。
【図２】前記冷蔵庫のドアが開放された正面図である。
【図３】前記冷蔵庫の給水流路の配置構造を概略的に示した図である。
【図４】前記浄水装置の構造を示した斜視図である。
【図５】前記浄水装置の分解斜視図である。
【図６】前記浄水装置のコネクティングキャップが分離された様子を前方からみた分解斜視図である。
【図７】前記浄水装置のコネクティングキャップが分離された様子を後方からみた分解斜視図である。
【図８】図６の８'−８'断面図である。
【図９】前記浄水装置のコネクティングキャップが分離された状態の流路構造を示した断面図である。
【図１０】前記浄水装置のコネクティングキャップが装着された状態の流路構造を示した断面図である。
【発明を実施するための形態】
【００１３】
図１は本発明の実施例による冷蔵庫の正面図であり、図２は前記冷蔵庫のドアが開放された正面図である。
【００１４】
図面に示されたように、本発明の実施例による冷蔵庫１は、貯蔵空間を形成するキャビネット１０と、前記キャビネット１０の貯蔵空間を開閉するドア２０によって外形が形成される。
【００１５】
前記キャビネット１０は、外側面を形成する金属素材のアウトケース１１と、前記アウトケース１１と結合され、前記冷蔵庫１内部の貯蔵空間を形成する樹脂材のインナーケース１２を含むことができる。そして、前記アウトケース１１とインナーケース１２との間には断熱材が充填され、庫内の空間を断熱することができる。
【００１６】
前記貯蔵空間は、バリア１３を基準に上下に区画され、上部の冷蔵室１４と下部の冷凍室１５を含むことができる。そして、前記冷凍室１５は、左右側にさらに区画されるように構成することができる。勿論、前記貯蔵空間は、バリア１３を基準に左右に区画されることも可能である。
【００１７】
前記ドア２０は、前記冷蔵室１４と冷凍室１５をそれぞれ独立的に開閉する冷蔵室ドア２１と冷凍室ドア２２を含むことができる。
【００１８】
前記冷蔵室ドア２１と冷凍室ドア２２は、両方よも回動によって前記冷蔵室１４と冷凍室１５を開閉することができ、このために、前記冷蔵室ドア２１と冷凍室ドア２２は、両方ともドアヒンジ２６によって前記キャビネット１０に回動可能に連結される。そして、前記冷蔵室ドア２１は、左右両側で一対が独立的に回転するように構成されるフレンチタイプのドアで構成することができる。
【００１９】
一対の前記冷蔵室ドア２１のいずれか一側のドアには、ディスペンサ２３とアイスメーカー２４を備えることができる。
【００２０】
前記ディスペンサ２３は、冷蔵室ドア２１の前面に備えられ、外部でユーザが操作して水または氷を取り出すことができるようにする。そして、前記ディスペンサ２３の上方には製氷室２５が備えられる。前記製氷室２５は、氷が作られ、保管される断熱空間であり、内部に前記アイスメーカー２４が収容され、別途のドアによって開閉される。そして、図示されていないが、前記製氷室２５は、前記冷蔵室ドア２１が閉じられた状態で冷気ダクトによって前記冷凍室１５と連通して製氷に必要な冷気を冷凍室蒸発器（図示せず）から供給を受けることができる。
【００２１】
一方、前記冷蔵室１４の内部には、食品を収納するための多数の棚と引き出しを備えることができる。特に、前記冷蔵室１４の底面には引き出し及び引き込み可能に提供される引き出し１６１と、前記引き出し１６１の上面を遮蔽するテーブル１６２を含むドロワーアセンブリ１６を備えることができる。
【００２２】
前記ドロワーアセンブリ１６は、内部の透視が可能に構成され、前記引き出し１６１によって前記冷蔵室１４の後側に備えられたメインウォータタンク３４が遮蔽される。そして、前記ドロワーアセンブリ１６の側方には、給水される水を浄化して前記ディスペンサ２３と前記アイスメーカー２４に供給する浄水装置１７を備えることができる。前記浄水装置１７は、前記引き出し１６１の収納空間と壁面との間に配置され、前記引き出し１６１の前面によって遮蔽される。したがって、前記引き出し１６１が閉じられた状態では外部に露出せず、前記引き出し１６１が引き出された状態では外部に開放されて前記浄水装置１７への接近が可能である。勿論、前記浄水装置１７の装着位置は、引き出し１６１の一側に限定されるものではなく、前記冷蔵室１４または前記冷蔵室ドア２１を含む前記冷蔵室１４の領域に備えられてもよい。
【００２３】
前記ドロワーアセンブリ１６の上方には、カンチレバー構造を有する多数の棚が高さ調節可能な形態で脱着可能に提供される。そして、前記冷蔵室１４の後面にはメインダクト１８が備えられ、前記メインダクト１８に形成される多数の吐出口を介して蒸発器（図示せず）で生成された冷気が前記冷蔵室１４の内部に供給される。
【００２４】
図３は前記冷蔵庫の給水流路の配置構造を概略的に示した図である。
【００２５】
図面に示されたように、前記冷蔵庫１は、外部の給水源から供給される水を浄水または冷却した後に前記ディスペンサ２３で取り出したり浄水された水を前記ディスペンサ２３またはアイスメーカー２４に供給する給水流路３０を含むことができる。
【００２６】
前記給水流路３０は、庫外側の水道のような給水源２に直結され、前記キャビネット１０の内部に装着されるチューブガイド１９を介して庫内の空間に流入して、庫内側の浄水装置１７の入口と連結される。
【００２７】
そして、前記給水流路３０には給水バルブ３１と流量センサ３２を備えることができる。必要に応じて前記流量センサ３２は前記給水バルブ３１と一対に構成されてもよい。
【００２８】
前記給水流路３０は、前記浄水装置１７と第１分岐管３３を連結し、第１分岐管３３から分岐された給水流路３０は、それぞれ前記メインウォータタンク３４と第１分岐バルブ３５に連結される。
【００２９】
前記第１分岐バルブ３５の出口と連結される給水流路３０は、前記チューブガイド１９を介して前記キャビネット１０内側の側壁またはキャビネット１０外側の後壁面に沿って延長された後、上面に沿って延長され、前記ドアヒンジ２６を経て前記冷蔵室ドア２１に向かう。
【００３０】
そして、前記冷蔵室ドア２１の給水流路は、第２分岐管３６によって分岐されて、前記サブウォータタンク３７の入口及び第２分岐バルブ３８と連結される。前記サブウォータタンク３７は、前記ディスペンサ２３と連結され、冷却された水が前記ディスペンサ２３を介して取り出される。
【００３１】
そして、前記第２分岐バルブ３８の出口は、それぞれディスペンサ２３及びアイスメーカー２４と前記給水流路３０によって連結されて、前記ディスペンサ２３とアイスメーカー２４に浄水を供給することができる。
【００３２】
このように、前記浄水装置１７を経て浄水された水は冷却されて前記ディスペンサ２３に供給されるか、冷却されずに浄水された状態で前記ディスペンサ２３またはアイスメーカー２４に供給される。
【００３３】
そして、前記浄水装置１７は、全体的に給水される水を浄化するための複数のフィルタ４０と、複数のフィルタ４０それぞれが結合し、水が流動する流路と連結されるヘッドユニット５０を含むことができる。そして、浄水装置１７は、前記フィルタ４０及びヘッドユニット５０が収容されるケース１７１を更に含むことができる。
【００３４】
図４は前記浄水装置の構造を示した斜視図である。
【００３５】
図面に示されたように、前記浄水装置１７は、複数のフィルタ４０と、ヘッドユニット５０を含むことができる。前記複数のフィルタ４０は、前記ヘッドユニット５０の入水側と連結される第１フィルタ４０１と、前記ヘッドユニット５０の出水側と連結される第３フィルタ４０３、及び前記第１フィルタ４０１と第３フィルタ４０３との間に配置される第２フィルタ４０２に組み合わせられて、前記浄水装置１７を通過する水を浄化することができる。
【００３６】
前記第１フィルタ４０１はフレカーボンフィルタ（ｐｒｅ−ｃａｒｂｏｎ ｆｉｌｔｅｒ）であってもよく、前記第２フィルタ４０２はメンブレンフィルタ（ｍｅｍｂｒａｎｅ ｆｉｌｔｅｒ）であってもよく、第３フィルタ４０３はポストカーボンフィルタ（ｐｏｓｔ−ｃａｒｂｏｎ ｆｉｌｔｅｒ）であってもよい。
【００３７】
勿論、前記フィルタ４０の個数と種類には制限されないが、前記浄水装置１７の内部に収納可能な個数そして効率的な浄水のために、互いに異なる種類の機能性フィルタを複数個適用することができる。
【００３８】
前記フィルタ４０は円筒形状に形成され、ハウジング４１によって外形が形成される。前記ハウジング４１は、内部に浄水のためのフィルタリング部材を収容するハウジングボディ４２と、前記ハウジングボディ４２の開口した上端に結合され、前記ハウジング４１の上部を形成するハウジングキャップ４３を含むことができる。
【００３９】
前記ハウジングキャップ４３は、前記ヘッド６０の開口した下面に挿入できるフィルタ挿入部４３１を含むことができる。そして、前記フィルタ挿入部４３１の上端には一つ以上のＯリング４３２が備えられ、前記Ｏリング４３２は、前記ヘッド６０の内側面と接して気密されて漏水を防止することができる。
【００４０】
そして、前記フィルタ挿入部４３１には結合突起４３３を更に形成することができる。前記結合突起４３３は、前記フィルタ４０の上部が前記ヘッド６０の内側に挿入される時、前記ヘッド６０の内側面に形成された結合溝６３１に沿って挿入される。
【００４１】
前記フィルタ４０の装着時、前記結合溝６３１と結合突起４３３が相互結合し、前記フィルタ４０は前記ヘッド６０に固定装着された状態を維持することができる。また、前記フィルタ４０と前記ヘッド６０が完全に相互結合された状態では、前記フィルタ４０とヘッド６０の流路が相互連結されて前記フィルタ４０とヘッド６０との間に水が流動することができる。
【００４２】
前記ヘッドユニット５０は、前記それぞれのフィルタ４０が結合される多数のヘッド６０と、前記多数のヘッド６０それぞれが回転可能に安着するマウンティング部材７０を含むことができる。前記マウンティング部材７０の一端には原水が入水する入水管３０１が連結され、他端には浄水された水が出水する出水管３０２が連結される。
【００４３】
前記マウンティング部材７０に前記多数のヘッド６０が装着された状態で、前記多数のヘッド６０それぞれは、独立的に回転することができる。前記多数のヘッド６０は流路が連結されるように構成することができ、前記入水管３０１を介して入水する原水は、それぞれのフィルタ４０を全て経た後、浄水されて前記出水管３０２に出水する。
【００４４】
前記マウンティング部材７０には、前記ヘッド６０の両端を回転可能に支持する回転支持部７１を含むことができる。前記回転支持部７１は多数のヘッド６０の間にも備えられ、前記回転支持部７１にはコネクティングキャップ８０が装着される。
【００４５】
前記コネクティングキャップ８０は、前記回転支持部７１に固定装着され、前記マウンティング部材７０の外観一部を形成することができる。そして、前記コネクティングキャップ８０は、隣接する二つのヘッド６０の間で流路を連結することができ、前記ヘッド６０を固定して前記ヘッド６０の回転操作にも前記マウンティング部材７０から分離されずに固定された状態を維持できるようにする。
【００４６】
前記ヘッド６０は、前記フィルタ４０の上端が挿入されて固定されるヘッドボディ６１と、前記ヘッドボディ６１をカバーするヘッドキャップ６２を含むことができる。
【００４７】
前記ヘッド６０は、前記ヘッドボディ６１に収容され、前記フィルタ４０の上端と連結されて水が流動する流路を形成するシャフト（図９の９０参照）を更に含むことができる。前記ヘッドキャップ６２は、前記シャフト（図９の９０参照）が挿入されるヘッドボディ６１の上面を遮蔽することができる。
【００４８】
前記フィルタ４０は、前記ヘッド６０に回転方式で固定装着することができる。前記フィルタ４０の装着過程でヘッド６０の内部に流路が連結されて前記フィルタ４０の内部に浄水のための水が供給され、前記フィルタ４０で浄水された水は前記ヘッド６０に排出される。
【００４９】
そして、前記フィルタ４０の分離時、前記ヘッド６０内部の流路は転換されて漏水しないようにフィルタ４０側への流路は遮断され、バイパスして前記ヘッド６０を通過するように構成することができる。即ち、前記フィルタ４０の交換や流路の洗浄などのようなサービス作業またはユーザの意図による前記フィルタ４０の除去時、前記フィルタ４０が除去された状態でも前記入水管３０１を介して供給される水は、前記ヘッド６０を経て前記出水管３０２に流動することができる。したがって、全体給水流路３０上に水の供給が中断されずに行われ、前記ディスペンサ２３及びアイスメーカー２４の正常な使用が可能になる。
【００５０】
前記ケース１７１は、前記フィルタ４０と前記ヘッドユニット５０を収容できる多様な構造で形成することができる。前記ケース１７１は、前記フィルタ４０とヘッドユニット５０を完全に収容する構造の他にも、前記フィルタ４０とヘッドユニット５０の少なくとも一部が収容されるようにする構造を有することができる。
【００５１】
そして、前記ケース１７１は、前記冷蔵室１４の内部の一側で固定装着されるための多様な構造を有することができる。勿論、必要に応じて前記ケース１７１を備えずに前記マウンティング部材７０が直接前記冷蔵室１４の内部一側に装着されるように構成することもできる。
【００５２】
図５は前記浄水装置の分解斜視図である。
【００５３】
図面に示されたように、前記マウンティング部材７０には、多数のフィルタ４０と結合される多数の前記ヘッド６０が回転可能に装着され、前記マウンティング部材７０は多数の前記ヘッド６０の間を連結することができる。
【００５４】
前記マウンティング部材７０は、全体的にプラスチック素材で射出形成され、多数の前記ヘッド６０を連結できる構造を有する。そして、前記入水管３０１と出水管３０２及び多数のヘッド６０が順番に連結されるように構成することができる。
【００５５】
詳しくは、前記マウンティング部材７０には装着部７２が形成される。前記装着部７２は、前記ケース１７１または冷蔵庫１内の一側壁面に前記マウンティング部材７０が固定装着されるようにする。前記装着部７２は、前記マウンティング部材７０の下端から突出形成される。そして、前記装着部７２にはスクリューのような結合部材が締結される装着ホール７２１を形成することができる。
【００５６】
前記マウンティング部材７０には、前記ヘッド６０が収容されるヘッド収容部７３が凹んで形成される。前記ヘッド収容部７３は、前記ヘッド６０の上部が収容されるように形成される。前記ヘッド収容部７３は、前記ヘッド６０が装着された状態で前記ヘッド６０が上下方向に所定角度だけ回動できる深さに凹む。
【００５７】
そして、複数のヘッド収容部７３を一定間隔に離隔して配置することができ、隣接する二つのヘッド収容部７３の間には回転支持部７１を形成することができる。前記回転支持部７１は、前記ヘッド６０の両側を回転可能に支持し、同時に多数の前記ヘッド６０の間が連結される流路が配置されるようにする。
【００５８】
前記回転支持部７１は、所定の幅を有するように形成され、前記ヘッド６０の両側の入水部６１１と出水部６１２を支持することができる。前記回転支持部７１の上面は開口して前記入水部６１１と出水部６１２及びコネクティングキャップ８０が安着する。
【００５９】
そして、前記回転支持部７１は、前記入水部６１１と出水部６１２が安着した状態で回転できるように前記入水部６１１及び出水部６１２の形状と対応する形状にラウンド状に形成される。詳しくは、前記回転支持部７１の上端の両側面には開口部７１２が形成され、前記開口部７１２は下端がラウンド状に形成されて、前記入水部６１１と出水部６１２が回動可能な状態で支持されるようにする。
【００６０】
前記回転支持部７１は、隣接する二つのヘッド６０の間に配置され、一ヘッドの入水部６１１と他のヘッドの出水部６１２が一つの前記回転支持部７１によって支持される。
【００６１】
前記回転支持部７１は、前記入水部６１１と出水部６１２の一部を収容する。前記回転支持部７１は、隣り合う前記入水部６１１と出水部６１２が相互離隔して配置されるように所定の幅を有するように形成される。そして、前記入水部６１１と出水部６１２との間には前記コネクティングキャップ８０が挿入され、前記コネクティングキャップ８０によって隣り合う前記入水部６１１と出水部６１２は相互連通することができる。
【００６２】
前記回転支持部７１は、前記コネクティングキャップ８０を固定するためのキャップ固定部７１１を更に含むことができる。前記キャップ固定部７１１によって前記コネクティングキャップ８０は前記回転支持部７１に固定され、前記ヘッド６０の回転操作時にも前記ヘッド６０が安定した装着状態を維持することができる。前記コネクティングキャップ８０を固定するための前記キャップ固定部７１１の構造は、以下により詳しく説明する。
【００６３】
そして、前記マウンティング部材７０の左右両側端には、前記入水管３０１と出水管３０２が連結される入水管連結部７４と出水管連結部７５を備えることができる。前記入水管連結部７４と出水管連結部７５は側方に突出する。前記入水管連結部７４は、前記入水管３０１の端部に備えられる入水管フィッティング部３０１ａを収容し、前記出水管連結部７５は、出水管３０２の端部に備えられる出水管フィッティング部３０２ａを収容することができる。
【００６４】
前記入水管フィッティング部３０１ａと出水管フィッティング部３０２ａは、前記入水管連結部７４と出水管連結部７５に回転可能に装着される。そして、前記入水管フィッティング部３０１ａと出水管フィッティング部３０２ａは折り曲げられた形状に形成することができる。前記入水管フィッティング部３０１ａは、前記ヘッド６０の入水部６１１に回転可能に接続され、他端は前記入水管連結部７４の後方に延長される。前記出水管フィッティング部３０２ａは、出水部６１２に一端が回転可能に接続され、他端は前記出水管連結部７５の後方に延長される。
【００６５】
前記入水管連結部７４と出水管連結部７５には、それぞれ前記ヘッド６０の入水部６１１及び出水部６１２に向けて開口した側面開口部７４１、７５１を形成することができる。前記側面開口部７４１、７５１を貫通して前記入水管フィッティング部３０１ａと出水管フィッティング部３０２ａが延長され、前記入水部６１１及び出水部６１２に連結される。
【００６６】
そして、前記入水管連結部７４と出水管連結部７５には、前記マウンティング部材７０の両側に配置される前記ヘッド６０の入水部６１１及び出水部６１２が回転可能に配置される。即ち、前記側面開口部７４１、７５１には前記入水部６１１及び出水部６１２が安着し、前記側面開口部７４１、７５１は前記回転支持部７１の両側に形成される開口部７１２と同一形状に形成される。
【００６７】
前記入水管連結部７４と出水管連結部７５の後端には、上下に切開される後面開口部７４２、７５２が形成され、前記後面開口部７４２、７５２を介して入水管フィッティング部３０１ａと出水管フィッティング部３０２ａは後方に延長される。前記後面開口部７４２、７５２は上下に長く開口し、前記入水管フィッティング部３０１ａと出水管フィッティング部３０２ａの直径よりも上下に長く形成されて、前記入水管フィッティング部３０１ａと出水管フィッティング部３０２ａが上下方向に回転可能に形成される。
【００６８】
前記後面開口部７４２、７５２の上端には、内側に突出した拘束突起７４３、７５３を形成することができる。前記拘束突起７４３、７５３の間の間隔は、前記入水管フィッティング部３０１ａ及び出水管フィッティング部３０２ａの直径より多少小さく形成することができる。そして、前記拘束突起７４３、７５３の上面は傾斜して形成されて、前記入水管フィッティング部３０１ａと出水管フィッティング部３０２ａが前記後面開口部７４２、７５２の内側に容易に圧入されるようにする。したがって、前記入水管フィッティング部３０１ａと出水管フィッティング部３０２ａは、前記入水管連結部７４と出水管連結部７５の内側から任意に分離されなくなる。そして、前記入水管フィッティング部３０１ａと出水管フィッティング部３０２ａは、前記入水部６１１と出水部６１２を軸にして回転することができる。
【００６９】
そして、前記入水管連結部７４と出水管連結部７５の下方に該当する前記マウンティング部材７０の左右両側面には、補強リブ７６を形成することができる。前記補強リブ７６は、前記マウンティング部材７０の側面に沿って延長され、多数個が一定間隔に配置される。したがって、前記補強リブ７６によって前記マウンティング部材７０の変形を防止することができ、前記ヘッド６０の回転操作時にも前記ヘッド６０の安定した支持が可能になる。
【００７０】
前記ヘッド６０は、前記回転支持部７１によって前記マウンティング部材７０に回転可能に装着される。したがって、前記フィルタ４０の脱着時、前記ヘッド６０を回転またはティルト操作して前記フィルタ４０を脱着するための空間を確保することができ、前記フィルタ４０の脱着作業をより容易にする。
【００７１】
そして、前記ヘッドボディ６１の外側面には、前記結合突起４３３の挿入位置を表示する挿入表示部６１３を備えることができる。前記挿入表示部６１３は印刷、成形または加工によって形成され、前記挿入表示部６１３によってユーザは前記結合溝６３１の位置を認知することができ、前記結合突起４３３との整列を容易にすることができる。
【００７２】
また、前記ヘッドボディ６１の外側面には、前記フィルタ４０の回転方向を表示する回転表示部６１４を更に備えることができる。前記回転表示部６１４も、印刷、成形または加工によって形成され、前記回転表示部６１４によってユーザは前記フィルタ４０を正しい方向に回転操作して、前記結合突起４３３が前記結合溝６３１の内側に沿って移動して結合されるようにする。
【００７３】
前記ヘッドボディ６１は、ロアーボディ６３とアッパーボディ６４を含むことができる。前記ロアーボディ６３は、前記フィルタ挿入部４３１が挿入及び結合される部分として、前記フィルタ４０が収容されるように下面が開口する。そして、前記ロアーボディ６３には、前記結合突起４３３が挿入されるための結合溝６３１が形成される。
【００７４】
前記ロアーボディ６３の内側面の周りには、前記フィルタ挿入部４３１が挿入された状態で前記フィルタ４０の垂れを防止するために前記フィルタ挿入部４３１の外側を支持するための多数のサポーティングリブ６３４を形成することができる。
【００７５】
前記アッパーボディ６４は、前記ロアーボディ６３の上端に形成され、前記ロアーボディ６３より小さい内径を有することができる。前記アッパーボディ６４の内側には前記シャフト９０が装着され、前記シャフト９０は前記アッパーボディ６４の開口した上面を介して挿入され、前記アッパーボディ６４の内側に装着される。
【００７６】
前記アッパーボディ６４の両側には、入水部６１１と出水部６１２が外側に突出形成される。そして、前記入水部６１１と出水部６１２は、それぞれコネクティングキャップ８０と連結される。この時、前記入水部６１１と出水部６１２は、前記シャフト９０に形成される流路と選択的に連通することができる。
【００７７】
したがって、前記フィルタ４０の装着時、前記シャフト９０は前記フィルタ４０とヘッド６０との間の流路を連結させ、浄水された水が流動できるようにする。勿論、前記シャフト９０による流路の連結方式及びバイパス流路との転換方式は多様に選択できるはずである。
【００７８】
前記ヘッドキャップ６２は、前記アッパーボディ６４の開口した上面を遮蔽し、前記アッパーボディ６４の開口した上面に挿入される前記シャフト９０の上面を押して、前記シャフト９０が前記アッパーボディ６４の内側に固定装着された状態を維持できるようにする。
【００７９】
一方、前記ロアーボディ６３の内側面には、前記サポーティングリブ６３４が多数個形成され、前記サポーティングリブ６３４によってフィルタ挿入部４３１の外側面が支持される。したがって、前記フィルタ４０が前記ヘッド６０に装着された状態で前記フィルタ４０の自重によって垂れが発生したり、ユーザの操作によって前記フィルタ４０が回転する時に前記フィルタ４０が垂れることを防止することができる。このような前記フィルタ４０の垂れを防止することで、漏水を防止することができる。また、前記サポーティングリブ６３４によって前記フィルタ４０の挿入をガイドして前記フィルタ４０が正確な位置に装着され、流路の連結作業がより容易に行われるようにすることができる。
【００８０】
互いに隣り合うように配置される前記ヘッド６０を前記コネクティングキャップ８０が連結することができる。前記コネクティングキャップ８０は、両端が隣り合う前記入水部６１１と出水部６１２にそれぞれ挿入装着される。そして、前記コネクティングキャップ８０の両端にはＯリング８０１が備えられる。前記Ｏリング８０１は、前記コネクティングキャップ８０の両端が前記入水部６１１及び出水部６１２に挿入された状態で前記ヘッド６０の回転時にも漏水が発生しないようにする。
【００８１】
図６は前記浄水装置のコネクティングキャップが分離された様子を前方からみた分解斜視図であり、図７は前記浄水装置のコネクティングキャップが分離された様子を後方からみた分解斜視図であり、図８は図６の８'−８'断面図である。
【００８２】
図面に示されたように、前記コネクティングキャップ８０の両端は、両側に配置される前記ヘッド６０の入水部６１１及び出水部６１２に挿入され、前記ヘッド６０と連結された状態で前記マウンティング部材７０に装着される。そして、前記コネクティングキャップ８０は、前記回転支持部７１上に固定装着される。
【００８３】
前記コネクティングキャップ８０は、流路部８１と、カバー部８３、及び拘束部８４を含むことができる。
【００８４】
詳しくは、前記流路部８１は、前記コネクティングキャップ８０の中央部を構成し、内部が中空の管形状に形成される。前記流路部８１は、前記入水部６１１と出水部６１２との間を連結できる長さに延長され、隣接する二つのヘッド６０の間の連結流路を形成する。前記流路部８１の両端は、前記入水部６１１と出水部６１２の内側に挿入できるように前記入水部６１１及び出水部６１２の直径と対応する直径を有するように形成することができる。
【００８５】
前記コネクティングキャップ８０は、段差部８２を更に含むことができる。前記段差部８２は、前記流路部８１の両端から前記流路部８１の延長方向に突出し、前記流路部８１の直径より小さい直径を有するように形成される。そして、前記段差部８２の周りにはＯリング８０１が装着される。前記Ｏリング８０１が装着された状態で前記流路部８１の両端は前記入水部６１１と出水部６１２の内側に挿入され、前記Ｏリング８０１は、前記入水部６１１と出水部６１２の内側面と接して、前記ヘッド６０と前記コネクティングキャップ８０の連結時に漏水を防止することになる。そして、前記コネクティングヘッド６０の回転操作時にも漏水を防止することができる。
【００８６】
前記カバー部８３は、前記回転支持部７１の開口した部分を遮蔽し、前記ヘッド６０の入水部６１１と出水部６１２の一部をカバーして前記ヘッド６０が前記マウンティング部材７０から脱去されることを防止する。前記カバー部８３は、一例として前記流路部８１の外側面の上部に備えられる。
【００８７】
前記カバー部８３は、遮蔽板８３１と、前記遮蔽板８３１と前記流路部８１との間を連結するサポータ８３２を含むことができる。
【００８８】
前記遮蔽板８３１は、前記回転支持部７１の開口形状と対応するように形成することができ、全体的にラウンド状に形成することができる。一例として、前記遮蔽板８３１は弧形状に形成することができる。前記遮蔽板８３１は、前記回転支持部７１の前後端を連結するだけではなく、入水部６１１と出水部６１２が前記回転支持部７１に安着した状態で回転できるようにする。そして、前記遮蔽板８３１の両端によって前記入水部６１１と出水部６１２の一部が覆われる。
【００８９】
前記サポータ８３２は、前記遮蔽板８３１の前端と後端から前記流路部８１の外側面に向けて垂直に延長される。前記遮蔽板８３１は、前記流路部８１と離隔した状態でも安定した支持状態を維持することができる。そして、前記流路部８１の長さ方向への前記サポータ８３２の幅は、前記入水部６１１と出水部６１２によって干渉されないように前記遮蔽板８３１の幅より狭く形成することができる。
【００９０】
前記拘束部８４は、前記流路部８１の外側面の前半部と後半部にそれぞれ備えることができる。前記流路部８１の外側面の前半部と後半部に形成される前記拘束部８４は、装着位置と方向が異なるだけで、その形状は同一でありうる。
【００９１】
前記拘束部８４は、弾性部８４１と固定端８４２を含むことができる。前記弾性部８４１は、前記流路部８１の外側面から延長される板状に形成され、弾性を提供できる形状に形成される。即ち、前記弾性部８４１は、前記流路部８１の外側面から下方または外側方に延長された後、上方に折り曲げられて延長される形状に形成される。したがって、前記弾性部８４１の延長された上端は外力によって弾性変形され、前記コネクティングキャップ８０が前記回転支持部７１に装着される時、弾性変形によって加圧される。
【００９２】
前記固定端８４２は、前記弾性部８４１の上端から外側に突出形成され、前記回転支持部７１の上端のキャップ固定部７１１に装着される。詳しくは、前記キャップ固定部７１１は前記固定端８４２が挿入される固定溝７１１ａと、前記固定溝７１１ａの入口側から対向する方向に突出する一対の固定突起７１１ｂを含むことができる。
【００９３】
前記一対の固定突起７１１ｂの間の距離は、前記固定端８４２の幅より小さく形成することができる。したがって、前記固定端８４２が前記固定溝７１１ａの内側に圧入された状態で前記固定突起７１１ｂによって拘束される。
【００９４】
即ち、図８に示されたように、前記コネクティングキャップ８０が前記マウンティング部材７０の装着される時、前記弾性部８４１の弾性変形によって前記固定端８４２は前記固定突起７１１ｂを通って前記固定溝７１１ａの内側に挿入される。そして、前記固定端８４２が前記固定溝７１１ａの内側に挿入された状態では、前記弾性部８４１の復元力によって前記固定端８４２は前記固定溝７１１ａの内側に加圧固定され、前記固定突起７１１ｂによって拘束された状態を維持することができる。
【００９５】
前記コネクティングキャップ８０は、ガイド部８５を更に含むことができる。前記ガイド部８５は、前記カバー部８３と対向する前記流路部８１の下面から外側に延長される。前記ガイド部８５は、前記流路部８１の外側面で前記回転支持部７１の底面に形成されるガイドホール７７の内部を貫通するように延長形成される。
【００９６】
前記ガイド部８５は、相互垂直に交差する第１リブ８５１と第２リブ８５２を含むことができる。前記ガイド部８５の断面は、一例として十字形状に形成することができる。この時、前記第１リブ８５１と第２リブ８５２の幅は、それぞれ前記ガイドホール７７の縁と接するように設定することができる。したがって、前記ガイド部８５は、前記ガイドホール７７と接しながら前記コネクティングキャップ８０が正位置に装着されるようにガイドすることができる。即ち、前記ガイド部８５が前記ガイドホール７７に挿入された状態で前記コネクティングキャップ８０を押し込むと、前記コネクティングキャップ８０は整列された状態で前記回転支持部７１上に固定装着される。このために、前記ガイドホール７７は前記第１リブ８５１と第２リブ８５２の幅と対応する横と縦の辺の長さを有する四角形状に開口する。
【００９７】
そして、前記第２リブ８５２の側面には、前記流路部８１の外側面と前記第２リブ８５２を連結するストッパ８６を更に形成することができる。前記ストッパ８６は、前記ガイドホール７７の外側面と対応する前記回転支持部７１の内側面と接して前記コネクティングキャップ８０の挿入を制限する。前記ストッパ８６の高さは、前記コネクティングキャップ８０が正位置に装着されて前記カバー部８３の外側面が前記回転支持部７１を遮蔽する状態で、前記ストッパ８６と前記回転支持部７１の内側面が接することになる高さに形成される。
【００９８】
以下では、上記のような構造を有する本発明の実施例による浄水装置の組み立てに関して説明する。
【００９９】
図９は前記浄水装置のコネクティングキャップが分離された状態の流路構造を示した断面図である。
【０１００】
図５及び図９を参照すると、前記浄水装置１７を装着するためには、まず多数のヘッド６０を並列に配置する。そして、最外側に配置される一対のヘッド６０の入水部６１１と出水部６１２にそれぞれ入水管フィッティング部３０１ａと出水管フィッティング部３０２ａを挿入して、前記入水管３０１と出水管３０２が前記ヘッド６０と連通できるようにする。
【０１０１】
そして、隣接する二つのヘッド６０に前記コネクティングキャップ８０を連結する。この時、前記コネクティングキャップ８０の流路部８１の両端は、一ヘッド６０の入水部６１１と他のヘッド６０の出水部６１２にそれぞれ挿入される。前記流路部８１にはＯリング８０１が備えられて、前記入水部６１１と出水部６１２の内側は前記流路部８１と気密状態となり、前記ヘッド６０の回動操作にも漏水しなくなる。
【０１０２】
一方、前記複数のヘッド６０に前記コネクティングキャップ８０が全て連結された状態で前記ヘッド６０とコネクティングキャップ８０を前記マウンティング部材７０に装着する。この時、前記入水管フィッティング部３０１ａと出水管フィッティング部３０２ａは、それぞれ入水管連結部７４と出水管連結部７５に回転可能に装着される。
【０１０３】
前記複数のヘッド６０は、前記ヘッド収容部７３の内側に収容され、この過程で、前記ヘッド６０の入水部６１１と出水部６１２は自然に前記回転支持部７１に安着する。
【０１０４】
そして、前記コネクティングキャップ８０が、隣接する前記ヘッド６０を連結した状態で、前記ガイド部８５が前記ガイドホール７７の内側に挿入され、前記ガイド部８５と前記ガイドホール７７の接触により、前記コネクティングキャップ８０は整列された状態で前記回転支持部７１に装着される。
【０１０５】
前記弾性部８４１は、前記コネクティングキャップ８０の挿入過程で弾性変形され、前記固定端８４２が前記固定溝７１１ａの内側に挿入される。この時、前記ストッパ８６は前記回転支持部７１の内側面と接して、これ以上の前記コネクティングキャップ８０が挿入されないようにする。
【０１０６】
このような状態では、前記固定端８４２が前記固定溝７１１ａの内側に拘束されて前記コネクティングキャップ８０が固定装着される。そして、前記コネクティングキャップ８０の遮蔽板８３１は、前記開口した前記回転支持部７１の上面を遮蔽して前記回転支持部７１の上面外観を形成することになる。そして、前記コネクティングキャップ８０の遮蔽板８３１は、前記入水部６１１と出水部６１２を遮蔽して前記ヘッド６０の回転操作時にも前記ヘッド６０が分離されず安定して回動操作できるようにする。
【０１０７】
一方、このような過程を通じて前記ヘッドユニット５０の組み立てが完了すると、ユーザは前記フィルタ４０を前記ヘッド６０に挿入して装着させることができる。前記フィルタ４０が前記ヘッド６０の内側に完全に挿入されて結合された状態になると、前記フィルタ４０の流路と前記ヘッド６０の内部流路は相互連結される。したがって、ヘッド６０から供給される水は、前記フィルタ４０に流入した後前記フィルタ４０で浄化され、浄化された水は前記フィルタ４０から前記ヘッド６０に排出されることになる。そして、並列に連結された多数のフィルタ４０を順に経ながら浄化された水は、前記出水管３０２を介して給水流路３０上に供給される。
【０１０８】
図１０は、前記浄水装置のコネクティングキャップが装着された状態の流路構造を示した断面図である。
【０１０９】
図面に示されたように、前記コネクティングキャップ８０が前記ヘッド６０と連結された状態で前記マウンティング部材７０への装着が完了すると、前記ヘッドユニット５０上の水が流動する流路は全て連結された状態になる。
【０１１０】
特に、図１０のように、前記ヘッド６０に前記フィルタ４０が全て分離された状態では、前記ヘッド６０の内部のバイパス流路９１が前記入水部６１１及び出水部６１２を介して前記コネクティングキャップ８０の流路部８１と連通する。したがって、前記入水管３０１を介して流入する水は、前記バイパス流路９１を介してそれぞれの前記ヘッド６０を横切って流動することになる。
【０１１１】
したがって、前記フィルタ４０の交換状況、前記浄水装置１７または給水流路３０のメンテナンスのようなサービス要求状況、またはユーザが浄水機能の一部または全体を望まなくて前記フィルタ４０を除去した状況でも連続的な水供給が可能になる。
【０１１２】
そして、前記フィルタ４０の交換作業のためには、前記ヘッド６０の回転操作が必要となり、前記フィルタ４０の回転操作時にも前記コネクティングキャップ８０は前記回転支持部７１に結合された状態を維持して、前記フィルタ４０または前記ヘッド６０が脱去されることが防止される。
【０１１３】
一方、本発明の実施例では説明の便宜と理解を助けるために、前記浄水装置１７が前記冷蔵庫１に装着されることを例に挙げて説明しているが、前記浄水装置１７は一般に使用される浄水器をはじめ、フィルタ交換方式で水を浄化させることができる全ての装置に適用可能である。
【０１１４】
本発明の実施例では、回転支持部にヘッドの入水部と出水部が収容され、前記回転支持部の開口をコネクティングキャップによって遮蔽することができる。したがって、前記入水部と出水部が前記回転支持部から脱去されることが防止される。
【０１１５】
したがって、前記ヘッドが前記フィルタの交換を容易にするために回動可能にする構造を有することができ、同時に前記ヘッドの回転軸となる入水部と出水部をカバーして前記回転支持部から分離されないようにすることで、使用安定性を確保することができる。
【０１１６】
そして、前記コネクティングキャップは、隣り合うヘッドの流路を連結し、同時に前記ヘッドの固定が可能な構造を有する。したがって、一つの構成で流路の連結とヘッドの回転固定が可能になることで、製造費用と組立作業性が向上する利点がある。
【０１１７】
また、前記コネクティングキャップの装着時、前記コネクティングキャップの装着方向に延長されるガイド部が前記回転支持部上のガイドホールに挿入可能になって、前記コネクティングキャップの装着をガイドして組立性をより向上させることができる。
【０１１８】
そして、前記コネクティングキャップの両端を、隣り合う前記ヘッドの入水部と出水部に連結し、多数のヘッドの連結された状態で前記コネクティングキャップを前記回転支持部に装着する作業を通じて、多数の前記ヘッドの配置と固定が可能となり、生産性が向上する利点がある。
【図１】
0006476220.tif 000002
【図２】
0006476220.tif 000003
【図３】
0006476220.tif 000004
【図４】
0006476220.tif 000005
【図５】
0006476220.tif 000006
【図６】
0006476220.tif 000007
【図７】
0006476220.tif 000008
【図８】
0006476220.tif 000009
【図９】
0006476220.tif 000010
【図１０】
0006476220.tif 000011